(57)【要約】【課題】粘着テープの貼り付け後の剥離を容易に行うための摘み部となる非接着部を、当該粘着テープを対象物に貼付する際に自動的に形成することが可能な粘着テープカッターを提供する。【解決手段】本体ブラケット２の一端に設けられ、粘着テープ巻付体４を回転可能に支持する支持部５と、本体ブラケット２の他端に設けられ、粘着テープ巻付体４から引き出された粘着テープ３を切り取るカット部６と、支持部５とカット部６との間に設けられ、粘着テープ３の長手方向一縁に重合部３Ｅを形成する重合部形成機構７と、カット部６の近傍に設けられ、粘着テープ３の非粘着面３Ｂに当接して、粘着テープ３を対象物に押圧する押圧部８と、を備えてなる粘着テープカッター１である。【選択図】図１
2006182565.tif 000002
【特許請求の範囲】
【請求項１】
片面が粘着面のテープをロール状に巻いてなる粘着テープ巻付体から引き出された粘着テープを対象物に貼付する粘着テープカッターであって、
本体ブラケットの一端に設けられ、前記粘着テープ巻付体を回転可能に支持する支持部と、
前記本体ブラケットの他端に設けられ、当該支持部に支持された粘着テープ巻付体から引き出された粘着テープを切り取るカット部と、
前記本体ブラケットの前記支持部とカット部との間に設けられ、前記粘着テープの長手方向の少なくとも一縁に、その縁部を所定幅で粘着面側に折り返してなる重合部を形成する重合部形成機構と、
前記カット部の下流側に設けられ、前記カット部でカットされて前記対象物に貼付された粘着テープの非粘着面を押圧する押圧部と、
を備え、
前記重合部形成機構は、
前記粘着テープ巻付体の粘着テープ巻き出し位置近傍に配設され、当該粘着テープの非粘着面を支持すると共に、前記粘着テープの縁部に所定の折り曲げ幅を残して当該粘着テープの粘着面を支持し、当該折り曲げ幅部分を折り曲げる折り曲げ部材と、
前記折り曲げ部材よりも下流側に配設され、前記粘着テープの当該折り曲げ部材によって折り曲げられた部分を鋭角に折り返す折り返し部材と、
前記折り返し部材よりも下流側に配設されると共に、前記粘着テープの非粘着面を支持し、前記折り返し部材によって折り返された部分を当該粘着テープの粘着面に押圧して貼り合せる貼り合せ部材と、
を備えてなる粘着テープカッター。
【請求項２】
前記カット部と前記重合部形成機構との間に、前記重合部が形成された粘着テープを対象物に押圧する押圧ロールをさらに備えた請求項１に記載の粘着テープカッター。
【請求項３】
前記押圧部は、前記カット部で切断された後の粘着テープを該カット部近傍に位置させる粘着テープ位置決め部を有する請求項１または請求項２記載の粘着テープカッター
【請求項４】
前記本体ブラケットに対して回動可能に装着され、前記支持部に支持された前記粘着テープ巻付体の少なくとも一部分を覆って当該粘着テープ巻付体の外周面に接して握持部を形成するテープカバーをさらに備えた請求項１ないし請求項３のいずれか一項に記載の粘着テープカッター。
【請求項５】
前記テープカバーの、前記粘着テープ巻付体の幅方向の少なくとも前記重合部が形成される側とは反対側に、前記支持部に向けて突出すると共に、当該粘着テープ巻付体の側面に当接可能な突出部を形成してなる請求項４記載の粘着テープカッター。
【請求項６】
前記テープカバーの、前記粘着テープ巻付体と対向する内側面に、前記粘着テープ巻付体に当接可能な凸部を設けた請求項４または請求項５記載の粘着テープカッター。
【請求項７】
前記重合部形成機構と、押圧ロールとの間に、前記粘着テープを支持すると共に、当該押圧ロールに誘導する支持ロールをさらに備えた請求項１ないし請求項６のいずれか一項に記載の粘着テープカッター。
【請求項８】
前記支持ロールの表面に凹凸を形成してなる請求項７記載の粘着テープカッター。    
【請求項９】
前記カット部からテープカバーの外周の支持部側先端まで、湾曲した形状を備えてなる請求項１ないし請求項８のいずれか一項に記載の粘着テープカッター。
【請求項１０】
前記本体ブラケットの、前記重合部形成機構が配設された領域の下方に固定された把持部をさらに備えてなる請求項１ないし請求項３のいずれか一項に記載の粘着テープカッター。
【請求項１１】
前記押圧ロールの近傍に、前記粘着テープの粘着面に対面して設けられ、前記重合部が形成された粘着テープをガイドするガイド片をさらに備えてなる請求項１０記載の粘着テープカッター。
【請求項１２】
前記押圧部が、本体ブラケットの、前記貼り合せ部材の下流側かつ前記ガイド片と対向する位置に、前記把持部の延出方向に対し傾斜して配設され、前記重合部が形成された粘着テープの非粘着面の全面を支持して押圧する押圧板からなる請求項１０または請求項１１記載の粘着テープカッター。
【請求項１３】
前記本体ブラケットの、前記折り曲げ部材よりも上流側に配設され、前記粘着テープの非粘着面を支持する第１の支持部材をさらに備えた請求項１、請求項２、請求項３、請求項１０、請求項１１、請求項１２のいずれか一項に記載の粘着テープカッター。
【請求項１４】
前記折り曲げ部材の表面に凹凸を形成してなる請求項１ないし請求項１３のいずれか一項に記載の粘着テープカッター。
【請求項１５】
前記折り曲げ部材、前記貼り合せ部材は、前記粘着テープを上流側から下流側に誘導するよう回転可能に配設されたロール部材からなる請求項１ないし請求項１４のいずれか一項に記載の粘着テープカッター。
【請求項１６】
前記折り曲げ部材の、前記粘着テープの重合部が形成される側とは反対側の縁部が位置する側の端部に、当該粘着テープの位置を規制する規制部を設けた請求項１ないし請求項１５のいずれか一項に記載の粘着テープカッター。
【請求項１７】
前記折り曲げ部材の規制部と、前記折り返し部材の粘着テープの重合部が形成される側の縁部が当接する当接部との距離が、当該粘着テープ巻付体を形成している粘着テープの幅よりも短い請求項１６記載の粘着テープカッター。
【請求項１８】
前記折り返し部材は、前記粘着テープの当該折り曲げ部材によって折り曲げられた部分近傍のみを押圧可能な押圧部を備えてなる請求項１ないし請求項１７のいずれか一項に記載の粘着テープカッター。
【請求項１９】
前記折り返し部材は、前記折り曲げ部材によって折り曲げられた粘着テープの非粘着面に当接し、当該粘着テープの折り曲げ角度がさらに鋭角になるように誘導する第１の折り曲げ誘導部材と、当該第１の折り曲げ誘導部材によって折り曲げられた粘着テープの折り曲げ角度が略１８０度になるように誘導する第２の折り曲げ誘導部と、を備えてなる請求項１ないし請求項１８のいずれか一項に記載の粘着テープカッター。
【請求項２０】
請求項１に記載の粘着テープカッター用粘着テープであって、
前記粘着テープカッターの重合部形成機構によって形成される重合部となるべき領域の近傍に、当該重合部に沿ってマーク用ラインが形成されてなる粘着テープカッター用粘着テープ。
【請求項２１】
前記マーク用ラインに、重合部の存在を告知するための記号、文字、絵の少なくとも一つが記載されてなる請求項２０記載の粘着テープカッター用粘着テープ。
【請求項２２】
前記貼り合わせ部材を前記テープカバーに配設してなる請求項４ないし請求項６のいずれか一項に記載の粘着テープカッター。
【請求項２３】
前記テープカバーが、前記本体ブラケットに対して、前記押圧ロールの軸芯を支点として回動可能に装着された請求項４ないし請求項６のいずれか一項に記載の粘着テープカッター。
【請求項２４】
前記突出部が、前記支持部と当接可能に構成された請求項５記載の粘着テープカッター。
【請求項２５】
前記本体ブラケットと前記テープカバーとが把持された際、前記テープカバーと前記支持部との間に、前記粘着テープ巻付体が回転自在に収容可能な空間を残すように、前記突出部が前記支持部に当接するように構成された請求項２４記載のテープカッター。
【発明の詳細な説明】
【技術分野】
【０００１】
本発明は、梱包用等に多用される幅広の粘着テープ巻付体のテープカッターにかかり、特に粘着テープ巻付体から引き出される粘着テープの長手方向の側部に沿って、その側線を折り返して粘着面同士を重合させた非接着部を形成して、対象物に粘着テープを貼付した後、これを剥離する際に、剥離操作を容易に行えるようにしたハンディタイプの粘着テープカッターに関する。
【背景技術】
【０００２】
粘着テープは、布、セロハン、クラフト紙、ゴム、ポリ塩化ビニルなどの薄膜状の長尺な基材の片面に、ゴムまたは合成樹脂を主材とする粘着剤を塗布したものであり、通常、この粘着テープは、ロール状に巻かれて粘着テープ巻付体とされて流通されている。そして、この様な粘着テープは、様々な接着用途に用いられているが、テープ幅が約５０ｍｍ程度の幅広な粘着テープは、特に段ボール箱の封緘などの梱包時に多用されている。
【０００３】
また、この様な幅広の粘着テープを梱包特等に使用するにあたっては、粘着テープ巻付体から粘着テープを引き出して所望の長さで切断して対象物に貼り付けることになるが、このような作業を容易にするためのテープカッターとして、粘着テープを貼付する際に、テープカッターを手に待って、その先端に引き出してある粘着テープの粘着面を対象物に押しつけるだけで貼付を可能にしたものがある。
【０００４】
このようなテープカッターでは、粘着テープ巻付体から引き出される粘着テープの形状が平板状であるから、粘着テープは、前記粘着テープ巻付体から出た時点で折れて垂れ下り粘着テープ巻付体の外周面に張りついてしまい、貼付に際しては爪先でテープの先端を剥がしから指先でつまみ、引き出して貼付するという非能率な方法が採られている。
【０００５】
そこで、最近ではテープが粘着テープ巻付体の外周面に張りつかない様に、引き出したテープを支える腕を、テープが添う部分の両側端に設ける方法も採られる様になったが、引き出したテープが平板状なので、支える腕から先にテープを長く引き出すと折れて垂れ下ってしまい、他の物に張りついて作動出来なくなってしまうこともある。このため、前記支える腕は、引き出したテープの先端の近く、すなわち、テープ切断刃に接近した位置に設けなければならないので、テープカッターを手に持って、先端に出ているテープの粘着面を貼付対象物に押しつけて貼付しようとしても、支える腕が邪魔をして貼付がうまく出来ず、結局、従来のように指先でテープの先端をつまみ出して貼付するという非能率な作業をしなければならないのが実情であった。
【０００６】
また、テープカッターに付随するテープ切断刃は、露出しているのが主であって、危険性を含んでいるが、なかには、スプリングを介して揺動可能にしたカバー板をテープ切断刃の上に覆い設けたものもあるが、テープカッターを使用しない時でも指等が触れれば動いてしまい、テープ切断刃が露出し、完璧なる安全性が得られるものではなかった。
【０００７】
そこで、このようなテープカッターを改良したものとして、例えば、ロール状に巻かれた粘着テープに装着する本体の一端に、引き出した粘着テープを添わせるテープ誘導部を形成すると共に、その先端にテープ切断刃を設け、且つ引き出した粘着テープが添う面を、縁より内の部分が盛り上がった形状に形成し、表面に複数個の突起を設けたテープ保持部を当該粘着テープが添う面を覆い跨ぐように設け、且つ両側端部に連結腕を形成しテープ切断刃の先端から引き出した粘着テープが添う面までを覆い、表面に複数個の突起を設けたカバー板を、テープ保持部の両側端に連結腕で挟み込んで咬合させ、連結腕を貫通しテープ保持部の側面に固定した主軸で回動可能に取り付ける構造を備えたものが紹介されている。（例えば、特許文献１参照）。
【特許文献１】特開２００１−１４６３５６号公報
【発明の開示】
【発明が解決しようとする課題】
【０００８】
ところで、梱包などに供されている幅広の粘着テープは、殆どの場合において、一時的な仮止めに用いられており、対象物に貼付された後、当該対象物から引き剥がされるか、あるいは切断されている。
【０００９】
ここで、粘着テープは、基材の片面に粘着剤を塗布されているが、この基材は薄く、また、前記粘着剤は、基材の片面の全面に塗布されているため、対象物に貼り付けられた粘着テープを、当該対象物から引き剥がすのは甚だ面倒な作業であった。すなわち、対象物に対して粘着面の全面が貼り付いた粘着テープを剥がす際には、例えば、粘着テープの外周縁部を爪等で捲り起こして摘み代を形成し、この摘み代を指先で摘んで引き剥がす必要があり、当該摘み代を捲り起こす作業は面倒で甚だ煩わしいものであった。
【００１０】
本発明は、このような従来の粘着テープカッターを改良することを課題とするものであり、粘着テープの貼り付け後の剥離を容易に行うための摘み部となる非接着部を、当該粘着テープを対象物に貼付する際に自動的に形成することが可能な粘着テープカッターを提供することを目的とする。
【課題を解決するための手段】
【００１１】
この目的を達成するため本発明は、片面が粘着面のテープをロール状に巻いてなる粘着テープ巻付体から引き出された粘着テープを対象物に貼付する粘着テープカッターであって、本体ブラケットの一端に設けられ、前記粘着テープ巻付体を回転可能に支持する支持部と、前記本体ブラケットの他端に設けられ、当該支持部に支持された粘着テープ巻付体から引き出された粘着テープを切り取るカット部と、前記本体ブラケットの前記支持部とカット部との間に設けられ、前記粘着テープの長手方向の少なくとも一縁に、その縁部を所定幅で粘着面側に折り返してなる重合部を形成する重合部形成機構と、前記カット部の下流側に設けられ、前記カット部でカットされて前記対象物に貼付された粘着テープの非粘着面を押圧する押圧部と、を備え、前記重合部形成機構は、前記粘着テープ巻付体の粘着テープ巻き出し位置近傍に配設され、当該粘着テープの非粘着面を支持すると共に、前記粘着テープの縁部に所定の折り曲げ幅を残して当該粘着テープの粘着面を支持し、当該折り曲げ幅部分を折り曲げる折り曲げ部材と、前記折り曲げ部材よりも下流側に配設され、前記粘着テープの当該折り曲げ部材によって折り曲げられた部分を鋭角に折り返す折り返し部材と、前記折り返し部材よりも下流側に配設されると共に、前記粘着テープの非粘着面を支持し、前記折り返し部材によって折り返された部分を当該粘着テープの粘着面に押圧して貼り合せる貼り合せ部材と、を備えてなる粘着テープカッターを提供するものである。
【００１２】
この構成を備えた粘着テープカッターは、テープ支持部に回転可能に支持された粘着テープ巻付体から引き出された粘着テープに前記重合部を形成する際に、折り曲げ部材が粘着テープの粘着面を支持する（接触する）が、この粘着テープカッターには、粘着テープを挟んで折り曲げ部材と対向した位置に、この粘着テープを当該折り曲げ部材に強く押圧するための部材（例えば、ロールなど）が配設されていないため、粘着テープの粘着面が当該折り曲げ部材の表面に強く接着されることなく、粘着テープは下流側に誘導される。また、第１の支持部材及び貼り合せ部材には、粘着テープの非粘着面が接触することになる。したがって、粘着テープを粘着テープ巻付体から引き出す際に必用な力が小さくてすみ、粘着テープの引き出しをスムーズに行うことができる。
【００１３】
また、前記カット部でカットされ前記対象物に貼付された粘着テープの非粘着面を押圧する押圧部を備えているため、粘着テープを対象物に貼付した後、使用者が、わざわざ手などで粘着テープを対象物に押し付ける動作をしなくても、対象物に粘着テープを確実に貼付させることができる。また粘着テープが不用意に曲がらずに、よりスムーズに簡単に対象物に貼付することができる。
【００１４】
また、本発明にかかる粘着テープカッターは、前記カット部と前記重合部形成機構との間に、前記重合部が形成された粘着テープを対象物に押圧する押圧ロールをさらに備えることができる。この構成により、前記利点に加え、さらに対象物に粘着テープを確実に貼付させることができる
【００１５】
また、前記押圧部は、前記カット部で切断された後の粘着テープを該カット部近傍に位置させる粘着テープ位置決め部を有することができる。このように、粘着テープ位置決め部を有することで、より一層粘着テープが不用意に曲がらずに、かつスムーズに簡単に対象物に貼付される。
【００１６】
そしてまた、本発明にかかる粘着テープカッターは、前記本体ブラケットに対して回動可能に装着され、前記支持部に支持された前記粘着テープ巻付体の少なくとも一部分を覆って当該粘着テープ巻付体の外周面に接して握持部を形成するテープカバーをさらに備えることができる。
【００１７】
また、このテープカバーは、前記粘着テープ巻付体の幅方向の少なくとも前記重合部が形成される側とは反対側に、前記支持部に向けて突出すると共に、当該粘着テープ巻付体の側面に当接可能な突出部を形成した構成を備えることもできる。このようにテープカバーに突出部を形成することで、使用者がテープカバーを把持して粘着テープ巻付体から粘着テープを引き出す際に、粘着テープ巻付体の位置が、前記突出部に規制されるため、前記重合部をより確実に形成することができる。
【００１８】
そしてまた、本発明にかかる粘着テープカッターは、前記テープカバーの、前記粘着テープ巻付体と対向する内側面に、前記粘着テープ巻付体に当接可能な凸部を設けることができる。このようにすることで、使用者がテープカバーを把持して粘着テープ巻付体から粘着テープを引き出す際に、粘着テープ巻付体がテープカバーによって、押さえ付けられることをより一層確実に防止することができるため、粘着テープをさらに引き出しやすくすることができる。
【００１９】
また、本発明にかかる粘着テープカッターは、前記重合部形成機構と、押圧ロールとの間に、前記粘着テープを支持すると共に、当該押圧ロールに誘導する支持ロールをさらに備えることもできる。
【００２０】
また、前記支持ロールの表面には、凹凸を形成することができる。このように構成することで、粘着テープの粘着面が接触する折り曲げ部材の表面の面積（粘着面との接触面積）を小さくすることができる。したがって、粘着テープを粘着テープ巻付体から引き出す際に必用な力は、より一層小さくなり、粘着テープの引き出しをさらにスムーズに行うことができる。
【００２１】
そしてまた、本発明にかかる粘着テープカッターは、前記カット部からテープカバーの外周の支持部側先端まで、湾曲した形状を備えてなることができる。このような形状を備えることで、使用者が把持して、粘着テープを対象物に貼付する際に、操作がし易い構成となる。
【００２２】
さらにまた、本発明にかかる粘着テープカッターは、前記本体ブラケットの、前記重合部形成機構が配設された領域の下方に固定された把持部をさらに備えることができる。このように構成することで、使用者は、把持部を把持して簡単に、粘着テープを対象物に貼付することができる。
【００２３】
また、この把持部が形成された粘着テープカッターは、前記押圧ロールの近傍に、前記粘着テープの粘着面に対面して設けられ、前記重合部が形成された粘着テープを下流側にガイドするガイド片をさらに備えて構成することができる。このようにガイド片を備えることで、粘着テープを対象物に貼付する際に、粘着テープが不用意に曲がったり、よれたりすることを一層確実に防止することができる。
【００２４】
また、前記押圧部は、本体ブラケットの、前記貼り合せ部材の下流側かつ前記ガイド片と対向する位置に、前記把持部の延出方向に対し傾斜して配設され、前記重合部が形成された粘着テープの非粘着面の全面を支持して押圧する押圧板から構成することができる。
【００２５】
また、本発明にかかる粘着テープカッターは、前記本体ブラケットの、前記折り曲げ部材よりも上流側に配設され、前記粘着テープの非粘着面を支持する第１の支持部材をさらに備えることができる。
【００２６】
さらにまた、本発明にかかる粘着テープカッターは、前記カット部の下流側に、当該カット部で切断された後の粘着テープを該カット部近傍に位置させる粘着テープ位置決め部材をさらに備えることもできる。このように構成することで、前記利点に加え、カット部で切断された後の粘着テープは、カット部近傍に位置することになるため、この粘着テープが、例えば他の物に張りついて作動出来なくなる等のトラブルが生じることを防止することができる。
【００２７】
そしてまた、本発明にかかる粘着テープカッターは、前記折り曲げ部材の表面に凹凸を形成することができる。このような構成にすることで、粘着テープの粘着面が接触する折り曲げ部材の表面の面積（粘着面との接触面積）を小さくすることができる。したがって、粘着テープを粘着テープ巻付体から引き出す際に必用な力は、より一層小さくなり、粘着テープの引き出しをさらにスムーズに行うことができる。
【００２８】
また、本発明にかかる粘着テープカッターは、前記折り曲げ部材及び貼り合せ部材を、例えば、前記粘着テープを上流側から下流側に誘導するよう回転可能に配設されたロール部材から構成することができる。
【００２９】
そしてまた、前記折り曲げ部材の、前記粘着テープの重合部が形成される側とは反対側の縁部が位置する側の端部に、当該粘着テープの位置を規制する規制部を設けることもできる。このように規制部を設けることで、前記粘着テープの折り曲げをより安定して確実に行うことができる。
【００３０】
そして、前記折り曲げ部材の規制部と、前記折り返し部材の粘着テープの重合部が形成される側の縁部が当接する当接部との距離が、当該粘着テープ巻付体を形成している粘着テープの幅よりも短くなるよう構成することもできる。このように構成することでも、前記粘着テープの折り曲げをより安定して確実に行うことができる。
【００３１】
また、前記折り返し部材は、前記粘着テープの当該折り曲げ部材によって折り曲げられた部分近傍のみを押圧可能な押圧部を備えてなるよう構成することもできる。折り返し部材をこのように構成することで、折り返し部材の、粘着テープの粘着面と接触する面積を小さくすることができる。したがって、粘着テープを粘着テープ巻付体から引き出す際に必用な力は、より一層小さくなり、粘着テープの引き出しをさらにスムーズに行うことができる。
【００３２】
さらにまた、前記折り返し部材は、前記折り曲げ部材によって折り曲げられた粘着テープの非粘着面に当接し、当該粘着テープの折り曲げ角度がさらに鋭角になるように誘導する第１の折り曲げ誘導部材と、当該第１の折り曲げ誘導部材によって折り曲げられた粘着テープの折り曲げ角度が略１８０度になるように誘導する第２の折り曲げ誘導部と、を備えてなるよう構成することもできる。折り返し部材をこのように構成することで、粘着テープをより一層確実に安定して折り返すことができる。
【００３３】
また、本発明は、前述した粘着テープカッター用粘着テープであって、前記粘着テープカッターの重合部形成機構によって形成される重合部となるべき領域の近傍に、当該重合部に沿ってマーク用ラインが形成されてなる粘着テープカッター用粘着テープを提供するものである。
【００３４】
この構成を備えた粘着テープカッター用粘着テープは、被結束物を結束した際に、重合部の位置をマーク用ラインによって示すことができる。したがって、使用者は、被結束物の結束を解除する際に、粘着テープを剥離するための摘み代（すなわち、重合部）を容易に見つめることができ、結束解除操作をより一層簡単に行うことができる。
【００３５】
また、前記マーク用ラインには、重合部の存在を告知するための記号、文字、絵の少なくとも一つを記載することができる。
【００３６】
また、前記重合部形成機構のうち、前記貼り合わせ部材を前記テープカバー側に配設することができる。このテープカバーは本体ブラケットに対して回動可能に装着されている。テープカバーを本体ブラケットから離間する方向に回動させると、本体ブラケットと前記テープカバー側の貼り合せ部材の間により広い空間が形成される。前記貼り合せ部材に沿って、前記粘着テープをカット部へ誘導する際に、前記貼り合せ部材の周囲に広い空間が形成されているので、テープに粘着性があっても貼り合せ部材にテープを装着することが容易となる。
【００３７】
前記テープカバーを、前記本体ブラケットに対して、当該ブラケット先端側の押圧ロールの軸芯を支点として回動自在にすることにより、テープカバーと本体ブラケットとの間により広い空間を形成可能である。
【００３８】
また、前記突出部を前記支持部と当接可能になるように、当該突出部のサイズや形状などを調整する。このようにすることで、テープカバーとブラケット本体とがユーザによって把持されても、テープカバーと支持部との間に、テープカバーによって粘着テープ巻付体が押圧されることなく、当該巻付体を回転自在に収容する空間を形成することができる。したがって、粘着テープを円滑にカット部へ誘導することができる。
【発明の効果】
【００３９】
本発明にかかる粘着テープカッターは、テープ支持部に回転可能に支持された粘着テープ巻付体から引き出された粘着テープに前記重合部を形成する際に、粘着テープの粘着面が重合部形成機構を構成する部品の表面に強く接着されることがなく、小さな力で粘着テープを粘着テープ巻付体から引き出すことができる。この結果、粘着テープの引き出しをスムーズに行うことができ、被結束物を粘着テープにより結束する際の作業性を向上することができる。また、粘着テープの非粘着面に当接して、当該粘着テープを前記対象物に押圧する押圧部を備えているため、粘着テープが不用意に曲がらずに、よりスムーズに簡単に対象物に貼付することができる。
【発明を実施するための最良の形態】
【００４０】
次に、本発明の好適な実施の形態にかかる粘着テープカッターについて図面を参照して説明する。
【実施例１】
【００４１】
図１は、本発明の実施例１にかかる粘着テープカッターの斜視図、図２は、図１に示す粘着テープカッターの正面図、図３は、図２に示す粘着テープカッターの底面図、図４は、図２に示す粘着テープカッターの背面図、図５は、図２に示す粘着テープカッターの左側面図、図６は、図２に示す粘着テープカッターの右側面図、図７は、図２に示す粘着テープカッターの上面図、図８は、図１に示す粘着テープカッターに粘着テープ巻付体を取り付けた状態を示す図、図９は、図２に示す粘着テープカッターに粘着テープ巻付体を取り付けた状態を示す図、図１０は、図３に示す粘着テープカッターに粘着テープ巻付体を取り付けた状態を示す図である。
【００４２】
図１〜図１０に示すように、本発明の実施例１にかかる粘着テープカッター１は、本体ブラケット２と、本体ブラケット２の一端に設けられ、片面が粘着面３Ａの粘着テープ３をロール状に巻いてなる粘着テープ巻付体４を回転可能に支持する支持部５と、本体ブラケット２の他端に設けられ、支持部５に支持された粘着テープ巻付体４から引き出された粘着テープ３を切り取るカット部６と、本体ブラケット２の支持部５とカット部６との間に設けられ、粘着テープ３の長手方向の少なくとも一縁に、その縁部３Ｃを所定幅で粘着面３Ａ側に折り返してなる重合部３Ｅを形成する重合部形成機構７と、カット部６と重合部形成機構７との間に配設され、重合部３Ｅが形成された粘着テープ３を対象物に押圧する押圧ロール１９と、カット部６の下流側に設けられ、粘着テープ３の非粘着面３Ｂに当接して、カット部６によって切断された粘着テープ３を前記対象物に押圧する押圧部８と、本体ブラケット２に対して回動可能に装着されたテープカバー９と、を備えて構成されている。
【００４３】
そして、この粘着テープカッター１は、幅約５０ｍｍ程度の長尺な粘着テープ３をロール状に巻いた粘着テープ巻付体４から、粘着テープ３を所望の長さに引き出して切り取るために用いられるものであって、種々の物品をダンボールなどからなる包装箱に梱包する場合に、当該包装箱の蓋部を粘着テープ３で封止する際などに用いるものであり、その形状は作業者が手に持ったまま粘着テープ３の貼り付け及び切り取り作業が行えるようにされている。
【００４４】
なお、粘着テープ巻付体４は、図８及び図９に示すように、ロール芯４Ａに、一方の面が粘着面３Ａからなり、他方の面が非粘着面３Ｂからなる粘着テープ３をロール状に巻付けることによって形成されている。
【００４５】
粘着テープ３は、特に図２０に示すように、粘着テープ３の一縁部端からＬ１の距離を置いた位置に、幅Ｌ２のマーク用ライン３Ｆが、粘着テープ３の長手方向に沿って連続的に記載されている。なお、粘着テープ３の一縁部端から、マーク用ライン３Ｆまでの領域（距離Ｌ１までの領域）が、粘着テープ３の縁部３Ｃとなる。このマーク用ライン３Ｆには、「Ｐｅｅｌ  ｏｆｆ  Ｅａｓｙ」と記載されている。また、図２０に示す符号Ｌ３は、マーク用ライン３Ｆから粘着テープ３の前記一縁部端と反対側の端までの距離を示している。
【００４６】
この粘着テープ３は、後に詳述する本実施の形態にかかる粘着テープカッター１によって、端部３Ｃが折り返しされて重合部３Ｅ（図１０参照）が形成された際にマーク用ライン３Ｆが、重合部３Ｅに隣接するように形成されている。
【００４７】
本体ブラケット２は、支持板２Ａと、支持板２Ａの他端（図２でいう左側）に支持板２Ａから略９０度の角度で立設した壁部２Ｂと、壁部２Ｂの支持板２Ａと対向した面に形成された側板２Ｃを備えて構成されている。
【００４８】
支持部５は、本体ブラケット２の支持板２Ａの一端（図２でいう右側）に一体的に設けられた中空の筒体状のテープホルダ１１と、テープホルダ１１の軸芯方向一端に形成されたフランジ部１２とを備えて形成されている。このフランジ部１２は、テープホルダ１１に装着された粘着テープ巻付体４が抜け落ちないように係止すると共に、後に詳述するテープカバー９の突出部２６Ａが当接可能に形成されており、テープカバー９の粘着テープ巻付体４と対向する内側面９Ａと、支持部５との間に、粘着テープ巻付体４を収容する収容空間を形成する役割を果たしている。また、テープホルダ１１の中空部１３は、テープホルダ１１の内径に相応した円筒形を有し、使用者は、この中空部１３内に指を挿入して粘着テープカッター１を把持可能となっている。
【００４９】
カット部６は、本体ブラケット２の支持板２Ａの他端をと、側板２Ｃとに両端を支持固定されたカッター刃から構成されている。
【００５０】
重合部形成機構７は、本体ブラケット２の支持板２Ａの支持部５近傍に配設された折り曲げロール１５と、支持板２Ａの折り曲げロール１５よりも下流側に配設された折り返し部材１６と、支持板２Ａの折り返し部材１６と対向した位置に回転可能に配設され、折り返し部材１６によって折り返された粘着テープ３の縁部３Ｃを粘着テープ３の粘着面３Ａに押圧して貼り合せる貼り合せロール１７と、を備えて構成されている。
【００５１】
折り曲げロール１５は、比較的直径が大きい円筒形状を備え、その軸芯方向の一端が本体ブラケット２の支持板２Ａに片持ち状態で回転可能に取り付けられている。この折り曲げロール１５は、粘着テープ３の縁部３Ｃ（図１０参照）に所定の折り曲げ幅を残して粘着テープ３の粘着面３Ａを支持し、この粘着テープ３の縁部３Ｃの折り曲げ幅部分を折り曲げるよう構成されている。折り曲げロール１５の表面には、円周に沿って複数の溝１５Ａが形成されている。この溝１５Ａの存在により、粘着テープ３の粘着面３Ａとの接触面積を小さくすることができる結果、粘着テープ３を粘着テープ巻付体４から引き出す際に必用な力を、より一層小さくすることができ、粘着テープ３の引き出しをさらにスムーズに行うことができる。
【００５２】
また、この折り曲げロール１５の本体ブラケット２の支持板２Ａに固定されていない側の端部には、フランジ１５Ｂが形成されている。このフランジ１５Ｂと、後に詳述する折り返し部材１６の粘着テープ３の重合部３Ｅ（図８及び図１０参照）が形成される側の縁部３Ｃが当接する当接部２４（図３参照）との距離は、粘着テープ３の幅よりも小さく設定されており、これによって、フランジ１５Ｂは、粘着テープ３の位置を規制する規制部としての役割を果たしている。
【００５３】
折り返し部材１６は、上流側から順に、折り曲げロール１５で折り曲げられた粘着テープ３の縁部３Ｃの非粘着面３Ｂに当接して、縁部３Ｃの折り曲げ角度を保持する折り曲げ角度保持部２１と、折り曲げ角度保持部２１に連続して形成され、粘着テープ３の縁部３Ｃの折り曲げ角度が略１２０度に、つまり、粘着面３Ａ側で略６０度の鋭角になるよう誘導する第１の折り曲げ誘導部材２２と、第１の折り曲げ誘導部材２２に連続して形成され、粘着テープ３の縁部３Ｃの非粘着面３Ｂに接触して折り曲げ角度を略１８０度に折り返す第２の折り曲げ誘導部材２３と、を備えている。
【００５４】
折り曲げ角度保持部２１は、粘着テープ３の折り曲げロール１５によって折り曲げられた部分を鋭角に折り返すものであり、本体ブラケット２から突出形成されている。この折り曲げ角度保持部２１は、この突出によって、粘着テープ３の縁部３Ｃの非粘着面３Ｂに当接する当接部２４を構成している。
【００５５】
第１の折り曲げ誘導部材２２は、本体ブラケット２の支持板２Ａから離れた端部側が鋭角となるテーパ形状を備え、このテーパの角度に応じて粘着テープ３の縁部３Ｃの折り曲げ角度が決定される。
【００５６】
第２の折り曲げ誘導部材２３は、第１の折り曲げ誘導部材２２よりもさらに本体ブラケット２の支持板２Ａから突出されており、粘着テープ３の折り返された縁部３Ｃが通過する部分は、詳述する貼り合せロール１７との隙間が狭くなるよう構成されている。この隙間の狭い部分は、粘着テープ３の縁部３Ｃの非粘着面３Ｂに接触し、縁部３Ｃを略１８０度に折り返す役割を果たしている。
【００５７】
貼り合せロール１７は、円筒形状を備え、その軸芯方向の一端が本体ブラケット２の支持板２Ａに片持ち状態で回転可能に取り付けられている。この貼り合せロール１７は、第２の折り曲げ誘導部材２３と対向してその近傍に配設されると共に、粘着テープ３の非粘着面３Ｂを支持し、折り返し部材１６によって折り返された粘着テープ３の縁部３Ｃを粘着面３Ａに押圧し、この部分の粘着面３Ａ同士を重合させて貼り合せ、重合部３Ｅを形成する。この貼り合せロール１７は、粘着テープ３の縁部３Ｃをカバーして当接する程度に短く形成されており、粘着テープ３が、容易に挿通装着されるようになっている。
【００５８】
このように、貼り合せロール１７を設けて、貼り合せロール１７に粘着テープ３の非粘着面３Ｂを押し付けることにより、粘着テープ３に作用させる張力を低減しつつ、粘着テープ３の縁部３Ｃの折り返しをスムーズに且つ確実に行えるようになる。この結果、粘着テープ３を引き出す際の操作力（引き出し力）を軽減してその操作性の可及的な向上が図れるようになる。
【００５９】
押圧ロール１９は、折り返し部材１６の下流側近傍に配設された第１の押圧ロール３１と、第１の押圧ロール３１の下流側に配設され、粘着テープ３の非粘着面３Ｂの全面を支持して押圧する第２の押圧ロール３２と、を備えて構成されている。
【００６０】
第１の押圧ロール３１は、円筒形状を備え、その軸芯方向の一端が本体ブラケット２の支持板２Ａに片持ち状態で回転可能に取り付けられている。この第１の押圧ロール３１は、粘着テープ３の粘着面３Ａを支持し、その長さは、粘着テープ３に形成された重合部３Ｅの幅をカバーして当接する程度に短く形成されている。また、この第１の押圧ロール３１の表面には、円周に沿って複数の溝３１Ａが形成されている。このように、第１の押圧ロール３１は、その長さを短くすると共に、溝３１Ａの存在により、粘着テープ３の粘着面３Ａとの接触面積を小さくすることができる結果、粘着テープ３を粘着テープ巻付体４から引き出す際に必用な力を、より一層小さくすることができ、粘着テープ３の引き出しをさらにスムーズに行うことができる。
【００６１】
第２の押圧ロール３２は、本体ブラケット２の支持板２Ａの他端、すなわち、カット部６の直下に、その軸芯方向一端が支持板２Ａに、他端が側板２Ｃに支持された状態で設けられ、本体ブラケット２に対して回転可能となっている。この第２の押圧ロール３２は、例えば、ゴム製のロールから構成されており、重合部３Ｅが形成された粘着テープ３の非粘着面３Ｂが接触し、この粘着テープ３を対象物に押圧して、対象物に粘着テープを確実に貼付させる役割を果たしている。
【００６２】
押圧部８は、本体ブラケット２の壁部２Ｂの外面に配設され、押圧ロール１９を経て縁部３Ｃに重合部３Ｅが形成された粘着テープ３の非粘着面３Ｂに当接して、粘着テープ３を対象物に押圧し、カット部６で切断されて対象物に貼付された粘着テープ３を、当該対象物に確実に貼付するものである。この押圧部８は、例えば、ゴム製の平板のカッター部６側の先端を、カッター部６から離れるように円弧状に湾曲させた形状を有している。
【００６３】
また、この押圧部８の先端部は、カット部６で切断された後の粘着テープ３をカット部６近傍に位置させる粘着テープ位置決め部としての役割も果たしている。したがって、カット部６で切断された後の粘着テープ３は、カット部６の近傍に位置することになるため、この粘着テープ３が、例えば他の物に張りついて作動出来なくなる等のトラブルが生じることを防止することができる。
【００６４】
テープカバー９は一端が、本体ブラケット２の支持板２Ａの他端と、側板２Ｃに、ピン２５によって回動可能に設けられており、支持部５に支持された粘着テープ巻付体４の一部分を覆って粘着テープ巻付体４の外周面に接して握持部を形成する構成を備えている。このテープカバー９の他端側であって、粘着テープ３の幅方向となる両側には、支持部５に向けて突出した突出部２６Ａ及び２６Ｂが形成されている。この突出部２６Ａ及び２６Ｂは、テープホルダ１１に装着された粘着テープ巻付体４の側面に当接して、粘着テープ巻付体４の位置を支持板２Ａ側に規制し、使用者がテープカバーを把持して粘着テープ巻付体４から粘着テープ３を引き出す際に、重合部３Ｅをより確実に形成するものである。また、突出部２６Ａ及び２６Ｂは、粘着テープ巻付体４が支持部５から抜け落ちないように係止する役割も果たしている。
【００６５】
また、テープカバー９の内側面９Ａには、粘着テープ巻付体４の外周面に当接可能な凸部９Ｂが形成されている。この凸部９Ｂの存在によって、使用者がテープカバー９を把持して粘着テープ
巻付体４から粘着テープ３を引き出す際に、粘着テープ巻付体４がテープカバー９によって、押さえ付けられることをより一層確実に防止することができるため、粘着テープ３をさらに引き出し易くすることができる。
【００６６】
この粘着テープカッター１は、カット部６の先端（図２でいう左側先端）からテープカバー９の支持部５側先端（図２でいう右側先端）までが、湾曲形状となっており、使用者が把持して、粘着テープ３を対象物に貼付するための操作がし易い構成となっている。
【００６７】
次に、実施例１にかかる粘着テープカッター１の具体的動作について説明する。
【００６８】
先ず、本体ブラケット２に対してテープカバー９を外側に回動して、支持部５とテープカバー９との間に空間を形成し、粘着テープ巻付体４から引き出される粘着テープ３の非粘着面３Ｂが、テープカバー９側を向くように、粘着テープ巻付体４のロール芯４Ａを粘着テープカッター１の支持部５に装着する。
【００６９】
次に、折り曲げロール１５に粘着テープ３の粘着面３Ａが位置し、折り返し部材１６と貼り合せロール１７との間に粘着テープ３を挿入し、さらに第１の押圧ロール３１に、粘着テープ３の粘着面３Ａが対面し、第２の押圧ロール３２に粘着テープ３の非粘着面３Ｂが対面するように粘着テープ３をセットする。その後、テープカバー９を戻して、粘着テープ巻付体４の外周面の一部を覆うようにする。
【００７０】
この状態で、使用者が、中空部１３内に指を挿入し、テープカバー９を把持するように粘着テープカッター１を持ち、第２の押圧ロール３２を介して粘着テープ３を対象物に押し当てながら、粘着テープカッター１を手前に引くと、粘着テープ３は、粘着テープ巻付体４から引き出されて、対象物に貼付される。この時、粘着テープ３は、先ず、折り曲げロール１５のフランジ１５Ｂによって、粘着テープ３のフランジ１５Ｂ側の端部が係止され、粘着テープ３の位置が規制される。この規制によって、粘着テープ３のフランジ１５Ｂ側の縁部３Ｃが、折り曲げロール１５の支持板２Ａ側の端部から外れてフリーな状態となる。すなわち、この折り曲げロール１５は、粘着テープ３の縁部３Ｃに所定の折り曲げ幅を残して、粘着テープ３の粘着面３Ａを支持し、この折り曲げ幅部分を折り曲げることになる。
【００７１】
次に、折り曲げロール１５を経た粘着テープ３は、縁部３Ｃの非粘着面３Ｂが折り返し部材１６の折り曲げ角度保持部２１に当接し、折り曲げロール１５で折り曲げられた縁部３Ｃの折り曲げ角度が保持された状態で、第１の折り曲げ誘導部材２２に至る。この第１の折り曲げ誘導部材２２では、粘着テープ３の縁部３Ｃの折り曲げ角度が約１２０度程度となるように、粘着テープ３の縁部３Ｃをさらに折り曲げる。次いで、この粘着テープ３は、第２の折り曲げ誘導部材２３と、貼り合せロール１７との間に挿入され、粘着テープ３の縁部３Ｃを略１８０度に折り返される。そして、ここで粘着テープ３の折り返された部分の粘着面３Ａ同士が貼着されて重合部３Ｅが形成される。
【００７２】
次に、この重合部３Ｅが形成された粘着テープ３は、先ず、第１の押圧ロール３１に至り、次いで第１の押圧ロール３１と第２の押圧ロール３２との間を通過し、第２の押圧ロール３２によって対象物に押圧され、対象物に貼付される。粘着テープ３は、カット部６で切断されるまで、この状態で粘着テープ巻付体４から引き出され続け対象物に貼付される。
【００７３】
その後、所望の貼付が終了された粘着テープ３をカット部６で切断するには、先ず、使用者は、把持している（右手で把持している）粘着テープカッター１をカット部６を支点として反時計回りに回転させると、粘着テープ３はカット部６で簡単に切断される。この時、切断された粘着テープ３は、押圧部８によって対象物に押圧される。このため、粘着テープ３を対象物に貼付した後、使用者が、わざわざ手などで粘着テープ３を対象物に押し付ける動作をしなくても、対象物に粘着テープ３を確実に貼付させることができる。また粘着テープ３が不用意に曲がらずに、よりスムーズに簡単に対象物に貼付することができる。
【００７４】
この粘着テープ３の縁部３Ｃに重合部３Ｅを形成する一連の動作では、テープカバー９に形成された凸部９Ｂが、粘着テープ巻付体４の外周面に当接して、粘着テープ巻付体４を収容する収容空間を形成するため、粘着テープ巻付体４から粘着テープ３を引き出す際に、粘着テープ巻付体４がテープカバー９によって、押さえ付けられることを防止することができる。したがって、粘着テープ３をさらに引き出しやすくすることができる。また、テープホルダ１１に装着された粘着テープ巻付体４は、突出部２６Ａ及び２６Ｂによって、位置が規制されているため、粘着テープ３の端部３Ｃには、確実に重合部３Ｅが形成される。
【００７５】
また、前記動作では、粘着テープ３の粘着面３Ａは、折り曲げロール１５の表面に接触することになるが、折り曲げロール１５の表面に形成された複数の溝１５Ａによって、粘着面３Ａとの接触面積が小さくなるため、粘着テープ３を粘着テープ巻付体４から引き出す際に必用な力を削減することができる。また、粘着テープ３を折り曲げロール１５に強く押圧するための部材（例えば、ロールなど）も配設されていない。したがって、粘着テープ３の粘着面３Ａが折り曲げロール１５の表面に強く接着されることがなく、粘着テープ３の引き出しをスムーズに行うことができる。
【００７６】
また、粘着テープ３の粘着面３Ａは、第１の押圧ロール３１の表面にも接触することになるが、第１の押圧ロール３１は長さが短く、また表面に複数の溝３１Ａが形成されているため、粘着テープ３の粘着面３Ａとの接触面積を小さくすることができる結果、粘着テープ３を粘着テープ巻付体４から引き出す際に必用な力を、より一層小さくすることができ、粘着テープ３の引き出しをさらにスムーズに行うことができる。
【００７７】
以上の工程によって、前記対象物には、重合部３Ｅが形成された粘着テープ３が貼付されるため、この重合部３Ｅが、粘着テープ３の剥離を容易にするための摘み代となり、対象物から粘着テープ３を簡単に剥がすことができる。この摘み代（すなわち、重合部３Ｅ）の近傍には、マーク用ライン３Ｆがあるため、摘み代の存在を簡単に知ることができ、結束解除操作をより一層簡単に行うことができる。
【００７８】
また、この重合部３Ｅは、粘着テープ３を対象物に貼付する際に自動的に形成することができる。
【００７９】
なお、実施例１では、貼り合せロール１７は、その軸芯方向の一端が本体ブラケット２の支持板２Ａに取り付けられていたが、図２２に示すように、その軸芯方向の一端がテープカバー１１９の側面に片持ち状態で回転可能に取り付けられていてもよい。
このテープカバー１１９は、本体ブラケット２に対し回動可能に装着され、テープカバー１１９を図２２に示すように、本体ブラケット２先端の押圧ロールの回転軸を中心にして本体ブラケット２から離間する方向に回動すると、貼り合せロール１７と本体ブラケット２との間に広い空間が発生する。図２２で、粘着テープのライン１２１として図示したように、粘着テープ巻付体４から引き出される粘着テープ３は、折り曲げロール１５に粘着テープ３の粘着面３Ａが位置し、折り返し部材１６と貼り合せロール１７との間に挿入され、さらに第１の押圧ロール３１に、粘着テープ３の粘着面３Ａが対面し、第２の押圧ロール３２に粘着テープの非粘着面３Ｂが対面するように粘着テープ３がセットされる。ここで、貼り合せロール１７をテープカバー１１９の側面に取り付けたので、前述の通り、支持部５とテープカバー１１９の間により広い空間が形成される。このため、前述の粘着テープ３が、折り曲げロール１５から、折り返し部材１６と貼り合せロール１７との間に挿入され、第１の押圧ロール３１と第２の押圧ロール３２との間を通過するときに、粘着テープ３を折返し部材１６と、テープカバー１１９の側面に配設された貼り合せロール１７との間に挿入することが極めて容易になり、テープに粘着性があっても貼り合せ部材１７にテープを装着することが容易となる。
【００８０】
また、実施例１では、テープカバー９は一端が、本体ブラケット２の支持板２Ａの他端と、側板２Ｃに、ピン２５によって回動可能に設けられていたが、図２１に示すように、前記本体ブラケット２に対して、前記押圧ロール３２の軸芯を支点として回動可能に装着することもできる。このように装着することで、テープカバー１１９を本体ブラケット２から外側に回動させる場合に、本体ブラケット２と貼り合わせ部材１７の間により広い空間を形成することができるようになるから、粘着テープ３を折返し部材１６と貼り合せロール１７との間に挿入することがさらに容易になる。
【００８１】
なお、実施例１では、粘着テープ３の粘着面３Ａとの接触面積を小さくするため、第１の押圧ロール３１を短くする必要があったことから、貼り合せロール１７は、第１の押圧ロール３１よりも長く設けられていた。前述の通り、粘着テープ３をより容易にカット部６へ挿通装着することができるようになったので、第１の押圧ロール３１、貼り合せロール１７は、ともに長さを重要視する必要はなくなり、いずれが長くともよい。例えば、粘着テープ３をより安定させるために、第１の押圧ロール３１、貼り合せロール１７をいずれも長くしてもよい。
【００８２】
また、このテープカバー１１９の側面に設けられた貼り合せロール１７が、テープカバー１１９が粘着テープ巻付体４の一部分を覆ったときに、折り返し部材１６に対向した位置に正確に誘導されるよう、図２２に示すように、本体ブラケット２に、前記折り返し部材１６近傍で終端する切り込み１２０を設けてもよい。
【００８３】
また、切り込み１２０に貼り合せロール１７が嵌入されたときに、テープカバー１１９が粘着テープ巻付体４の一部分を覆っても、テープカバー１１９が粘着テープ巻付体４を押さえつけない位置に切り込み１２０の終端を設けてもよい。こうすることで、粘着テープ巻付体４から粘着テープ３を引き出す際に、テープカバーが握持された状態においても、粘着テープ巻付体４が支持部５に回動可能に装着され、粘着テープ巻付体４がテープカバー１１９によって、押さえ付けられることを防止することができるため、粘着テープ３の引き出しをさらに容易かつスムーズにすることができる。
【００８４】
テープカバー１１９に設けられる突出部２６は、図２１に示すように、テープホルダ１１あるいはフランジ部１２に当接可能になるように、前記実施例１のものに比較して大型に形成されている。さらに、テープホルダ１１は、突出部２６がテープ巻付体４に接触することなく、当該テープホルダ１１に当接するようにするために、前記支持部５が幅方向に延長され、かつ、突出部２６がテープ巻付体を避ける位置に設けられている。なお、支持部５のフランジ部１２を幅方向に延長して、突出部２６がこれと当接するようにしても良い。
このように構成することにより、テープホルダ１１あるいはフランジ部１２と、テープカバー１１９との間に、粘着テープ巻付体４の厚み以上の空間が形成されることになり、粘着テープ巻付体４から粘着テープ３を引き出す際に、粘着テープ巻付体４がテープカバー１１９によって、押さえ付けられることをより確実に防止することができるため、粘着テープ３をさらに引き出し易くすることができる。
【００８５】
また、突出部２６Ａ、２６Ｂが、ともにフランジ部１２あるいはテープホルダ１１に当接可能に形成されることにより、テープカバー１１９が粘着テープ巻付体４の一部分を覆うと、突出部２６Ａ、２６Ｂがテープカバー１１９の両端でフランジ部１２あるいはテープホルダ１１に当接されるため、より左右のバランスが良くなり、粘着テープ３をさらに容易かつスムーズに引き出すことができる。
【００８６】
また、実施例１では、突出部２６の先端は円弧状に形成されて、頂点が支持体に当接しているが、この形状に限られず、図２１に示すように、先端に凹状の円弧を形成し、これが支持体の円周面に面接触するものでも良い。
【実施例２】
【００８７】
次に、本発明の実施例２にかかる粘着テープカッターについて図面を参照して説明する。
【００８８】
図１１は、本発明の実施例２にかかる粘着テープカッターの斜視図、図１２は、図１１に示す粘着テープカッターの正面図、図１３は、図１２に示す粘着テープカッターの背面図、図１４は、図１２に示す粘着テープカッターの右側面図、図１５は、図１２に示す粘着テープカッターの左側面図、図１６は、図１２に示す粘着テープカッターの上面図、図１７は、図１２に示す粘着テープカッターの底面図、図１８は、図１２に示す粘着テープカッターに粘着テープ巻付体を取り付けた状態を示す図、図１９は、図１３に示す粘着テープカッターに粘着テープ巻付体を取り付けた状態を示す図である。
【００８９】
なお、実施例２では、実施例１と同様の部材には同一の符号を付し、その詳細な説明は省略する。
【００９０】
図１１〜図１９に示すように、実施例２にかかる粘着テープカッター１００は、本体ブラケット１０２と、本体ブラケット１０２の一端に設けられ、片面が粘着面３Ａの粘着テープ３をロール状に巻いてなる粘着テープ巻付体４を回転可能に支持する支持部１０５と、本体ブラケット１０２の他端に設けられ、支持部１０５に支持された粘着テープ巻付体４から引き出された粘着テープ３を切り取るカット部６と、本体ブラケット１０２の支持部１０５とカット部６との間に設けられ、粘着テープ３の長手方向の少なくとも一縁に、その縁部３Ｃを所定幅で粘着面３Ａ側に折り返してなる重合部３Ｅを形成する重合部形成機構１０７と、重合部形成機構１０７の下流側に設けられ、重合部３Ｅが形成された粘着テープ３を下流側にガイドするガイド片１３１と、本体ブラケット１０２のガイド片１３１と対向する位置に設けられ、重合部３Ｅが形成された粘着テープ３の非粘着面３Ｂの全面を支持して押圧する押圧ロール１３２と、カット部６の下流側に設けられ、粘着テープ３の非粘着面３Ｂに当接して、カット部６で切断された後の粘着テープ３を対象物に押圧すると共に、カット部６の近傍に位置させる押圧部１１８と、本体ブラケット１０２の重合部形成機構１０７が配設された領域の下方に固定された把持部１１０と、を備えて構成されている。
【００９１】
そして、この粘着テープカッター１００も実施例１と同様に、幅約５０ｍｍ程度の長尺な粘着テープ３をロール状に巻いた粘着テープ巻付体４から、粘着テープ３を所望の長さに引き出して切り取るために用いられるものであって、種々の物品をダンボールなどからなる包装箱に梱包する場合に、当該包装箱の蓋部を粘着テープ３で封止する際などに用いるものであり、その形状は作業者が手に持ったまま粘着テープ３の貼り付け及び切り取り作業が行えるようにされている。
【００９２】
本体ブラケット１０２は、支持板１０２Ａと、支持板１０２Ａの把持部１１０側端部（図１１でいう下側）に支持板１０２Ａから略９０度の角度で屈曲形成された底面部１０２Ｂと、支持板１０２Ａのカット部６が配設される側（図１１でいう左側）に、支持板１０２Ａと対向して配設された側板１０２Ｃと、を備えて構成されている。
【００９３】
支持部１０５は、本体ブラケット２の支持板２Ａの一端（図１１でいう右側）に回転可能に設けられている。この支持部１０５は、粘着テープ巻付体４のロール芯４Ａに３カ所で当接して粘着テープ巻付体４を保持する構成を備えている。
【００９４】
重合部形成機構１０７は、本体ブラケット１０２の支持板１０２Ａの支持部１０５近傍に配設された支持ロール１１４と、支持板１０２Ａの支持ロール１１４よりも下流側に配設された折り曲げロール１５と、支持板１０２Ａの折り曲げロール１５よりも下流側に配設された折り返し部材１６と、支持板１０２Ａの折り返し部材１６と対向した位置に回転可能に配設されると共に、折り返し部材１６によって折り返された粘着テープ３の縁部３Ｃを粘着テープ３の粘着面３Ａに押圧して貼り合せる貼り合せロール１７と、を備えて構成されている。
【００９５】
支持ロール１１４は円筒形状を備え、その軸芯方向の一端が本体ブラケット２の支持板２Ａに片持ち状態で回転可能に取り付けられている。この支持ロール１１４は、粘着テープ３の非粘着面３Ｂを支持し、粘着テープ巻付体４から引き出された粘着テープ３を折り曲げロール１５にスムーズに誘導する役割を果たしている。
【００９６】
ガイド片１３１は、略平板状を備え、本体ブラケット１０２の底面部１０２Ｂから押圧ロール１３２に向けて延出されている。
【００９７】
押圧ロール１３２は、本体ブラケット１０２の支持板１０２Ａの他端、すなわち、カット部６の直下に、その軸芯方向一端が支持板１０２Ａに、他端が側板１０２Ｃに支持された状態で設けられ、本体ブラケット１０２に対して回転可能となっている。この押圧ロール１３２は、例えば、ゴム製のロールから構成されており、粘着テープ３の非粘着面３Ｂが接触し、重合部３Ｅが形成された粘着テープ３を対象物に押圧し、粘着テープ３を対象物に確実に貼付するものである。
【００９８】
押圧部１１８は、略板状を有し、本体ブラケット１０２の壁部１０２Ｂの外面から支持部１０５側に向けて傾斜した状態で設けられている。この押圧部１１８は、カット部６で切断されて対象物に貼付された粘着テープ３を、当該対象物に確実に貼付すると共に、切断された粘着テープ３を、カット部６近傍に位置させる役割も果たしている。この押圧部１１８によって、カット部６で切断された後の粘着テープ３は、カット部６の近傍に位置させることもできるため、この粘着テープ３が、例えば他の物に張りついて作動出来なくなる等のトラブルが生じることを防止することができる。
【００９９】
把持部１１０は、使用者が把持可能なサイズを備え、本体ブラケット１０２の底面部１０２Ｂに設けられている。
【０１００】
次に、実施例２にかかる粘着テープカッター１００の具体的動作について説明する。
【０１０１】
先ず、粘着テープ巻付体４から引き出される粘着テープ３の非粘着面３Ｂが、底面部１０２Ｂ側を向くように、粘着テープ巻付体４のロール芯４Ａを粘着テープカッター１００の支持部１０５に装着する。
【０１０２】
次に、支持ロール１１４に粘着テープ３の非粘着面３Ｂが対面するように粘着テープ３を架け渡し、次いで折り曲げロール１５に粘着テープ３の粘着面３Ａが位置し、折り返し部材１６と貼り合せロール１７との間に粘着テープ３を挿入し、さらにガイド片１３１と、押圧ロール１３２との間に粘着テープ３を挿入させる。
【０１０３】
この状態で、使用者が、把持部１１０を把持し、押圧ロール１３２を介して粘着テープ３を対象物に押し当てながら、粘着テープカッター１００を手前に引くと、粘着テープ３は、粘着テープ巻付体４から引き出されて、対象物に貼付される。この時、粘着テープ３の縁部３Ｃは、実施例１と同様に折り返され、ここに重合部３Ｅが形成される。
【０１０４】
なお、実施例２にかかる粘着テープカッター１００の場合も実施例１と同様に、粘着テープ３を粘着テープ巻付体４から引き出す際に必用な力を、より一層小さくすることができ、粘着テープ３の引き出しをさらにスムーズに行うことができる。
【０１０５】
次に、対象物に貼付された粘着テープ３を切断する際は、先ず、使用者は、把持している（右手で把持している）把持部１１０をカット部６を支点として反時計回りに回転させると、粘着テープ３はカット部６で簡単に切断される。この時、切断された粘着テープ３は、押圧部１１８によって対象物に押圧される。このため、粘着テープ３を対象物に貼付した後、使用者が、わざわざ手などで粘着テープ３を対象物に押し付ける動作をしなくても、対象物に粘着テープ３を確実に貼付させることができる。また粘着テープ３が不用意に曲がらずに、よりスムーズに簡単に対象物に貼付することができる。
【０１０６】
以上の工程によって、前記対象物には、重合部３Ｅが形成された粘着テープ３が貼付されるため、この重合部３Ｅが、粘着テープ３の剥離を容易にするための摘み代となり、対象物から粘着テープ３を簡単に剥がすことができる。この摘み代（すなわち、重合部３Ｅ）の近傍には、マーク用ライン３Ｆがあるため、摘み代の存在を簡単に知ることができ、結束解除操作をより一層簡単に行うことができる。
【０１０７】
また、この重合部３Ｅは、粘着テープ３を対象物に貼付する際に自動的に形成することができる。
【図面の簡単な説明】
【０１０８】
【図１】本発明の実施例１にかかる粘着テープカッターの斜視図である。
【図２】図１に示す粘着テープカッターの正面図である。
【図３】図２に示す粘着テープカッターの底面図である。
【図４】図２に示す粘着テープカッターの背面図である。
【図５】図２に示す粘着テープカッターの左側面図である。
【図６】図２に示す粘着テープカッターの右側面図である。
【図７】図２に示す粘着テープカッターの上面図である。
【図８】図１に示す粘着テープカッターに粘着テープ巻付体を取り付けた状態を示す図である。
【図９】図２に示す粘着テープカッターに粘着テープ巻付体を取り付けた状態を示す図である。
【図１０】図３に示す粘着テープカッターに粘着テープ巻付体を取り付けた状態を示す図である。
【図１１】本発明の実施例２にかかる粘着テープカッターの斜視図である。
【図１２】図１１に示す粘着テープカッターの正面図である。
【図１３】図１２に示す粘着テープカッターの背面図である。
【図１４】図１２に示す粘着テープカッターの右側面図である。
【図１５】図１２に示す粘着テープカッターの左側面図である。
【図１６】図１２に示す粘着テープカッターの上面図である。
【図１７】図１２に示す粘着テープカッターの底面図である。
【図１８】図１２に示す粘着テープカッターに粘着テープ巻付体を取り付けた状態を示す図である。
【図１９】図１３に示す粘着テープカッターに粘着テープ巻付体を取り付けた状態を示す図である。
【図２０】本実施の形態にかかる粘着テープカッターに使用される粘着テープの一部平面図である。
【図２１】本体ブラケットにテープカバーを取り付けた状態を示す図である。
【図２２】本体ブラケットに切り込みを設けた状態を示す図である。
【符号の説明】
【０１０９】
１、１００    粘着テープカッター
２    本体ブラケット
３    粘着テープ
３Ａ    粘着面
３Ｂ    非粘着面
３Ｃ    縁部
３Ｅ    重合部
４    粘着テープ巻付体
５、１０５    支持部
６    カット部
７    重合部形成機構
８、１１８    押圧部
９    テープカバー
１５    折り曲げロール
１６    折り返し部材
１７    貼り合せロール
１９    押圧ロール
２６Ａ、２６Ｂ    突起部
３１    第１の押圧ロール
３２    第２の押圧ロール
１３１    ガイド片
１３２    押圧ロール
１１０    把持部
１１９  テープカバー
１２０  切り込み
１２１  粘着テープのライン
【図１】
2006182565.tif 000003
【図２】
2006182565.tif 000004
【図３】
2006182565.tif 000005
【図４】
2006182565.tif 000006
【図５】
2006182565.tif 000007
【図６】
2006182565.tif 000008
【図７】
2006182565.tif 000009
【図８】
2006182565.tif 000010
【図９】
2006182565.tif 000011
【図１０】
2006182565.tif 000012
【図１１】
2006182565.tif 000013
【図１２】
2006182565.tif 000014
【図１３】
2006182565.tif 000015
【図１４】
2006182565.tif 000016
【図１５】
2006182565.tif 000017
【図１６】
2006182565.tif 000018
【図１７】
2006182565.tif 000019
【図１８】
2006182565.tif 000020
【図１９】
2006182565.tif 000021
【図２０】
2006182565.tif 000022
【図２１】
2006182565.tif 000023
【図２２】
2006182565.tif 000024